(57)【要約】  【課題】除霜時の消費電力を低減した上で、冷却器および除霜ヒータの省スペース化が実現する冷却器を提供する。  【解決手段】貯蔵室を形成する断熱箱体である冷蔵庫本体１００内に配設された冷却器１２０は冷却管１２１とフィン１２３とからなり少なくとも最下段に位置する冷却管に前記フィンが形成されていない裸管部１２１ｃを有し、冷却器１２０の裸管部１２１ｃには、固定部１３５ａを介して除霜ヒータ１３０が固定されているので、冷却管１２１の熱伝導と管内対流の向上が図られ、除霜を効率良く行うことが可能となる。【選択図】図１
2008089231.tif 000002
【特許請求の範囲】
【請求項１】
複数のフィンと前記フィンを貫通する冷却管とからなる冷却器と、前記冷却器の下方に配設された前記冷却器を除霜のため放熱する金属管を有する除霜ヒータを備え、前記冷却器は少なくとも最下段に位置する前記冷却管には前記フィンを有さない裸管部を有し、前記除霜ヒータの前記金属管は前記冷却管の前記裸管部に密着固定させた除霜ヒータ付き冷却器。
【請求項２】
前記除霜ヒータは、抵抗体からなるヒータ線と前記ヒータ線を覆うガラス管と前記ガラス管を覆う金属管とで構成された多重管ヒータとした請求項１に記載の除霜ヒータ付き冷却器。
【請求項３】
前記金属管には、前記裸管部と前記金属管とを固定するための固定部を有する請求項１または２に記載の除霜ヒータ付き冷却器。
【請求項４】
前記金属管には、前記裸管部と前記金属管とを固定するための凹部を有する請求項１または２に記載の除霜ヒータ付き冷却器。
【請求項５】
前記金属管は、アルミニウムで成形した請求項１から４のいずれか一項に記載の除霜ヒータ付き冷却器。
【請求項６】
前記冷却管内を流動する冷媒を可燃性冷媒とした請求項１から５のいずれか一項に記載の除霜ヒータ付き冷却器を備えた冷蔵庫。
【発明の詳細な説明】
【技術分野】
【０００１】
本発明は、除霜ヒータを有する冷蔵庫等の冷却器及びこの冷却器を備えた冷蔵庫に関するものである。
【背景技術】
【０００２】
近年、冷蔵庫における省エネが市場において強く求められる中、除霜用ヒータの消費電力も見直されようしている。また、冷凍サイクル中の冷媒は、フロンガスによるオゾン層破壊や地球温暖化問題に対応するため、従来使用されていたハイドロフルオロカーボン（ＨＦＣ）から、オゾン層の破壊がなく、地球温暖化係数の低いイソブタン（Ｒ６００ａ）など炭化水素系冷媒（以下、「ＨＣ冷媒」という。）への切換え採用が進んでいる。
【０００３】
このＨＣ冷媒、例えばイソブタンは可燃性冷媒であることから、冷媒漏れを生じた場合には火花などで引火し火災に発展する可能性があり、ＨＣ冷媒を使用する冷蔵庫では、電気部品やリレーなどの接点、除霜ヒータの発熱などにより着火して発火する可能性があるため、様々な防爆対応が考えられている。
【０００４】
このような従来からの除霜ヒータの省エネ性や安全性に関わる問題点を解消する目的のために、冷却器と除霜ヒータの構成について改善を図った冷蔵庫が提案されている（例えば、特許文献１参照）。
【０００５】
加えて、従来の冷蔵庫は、最下部に配設された貯蔵室の庫外側後方領域に機械室を形成し、この機械室内に冷凍サイクルの圧縮機を収容するものが一般的であるが、このような構成であると、機械室に最下部の貯蔵室の収納スペースが侵害されて収納容積が減少し、また収納スペースの空間形状も機械室の突出部を除いた複雑な形状となって収納性がよくないものとなっていた。これに対し、断熱箱体の貯蔵室内最上部の後背部が下がるように窪ませた凹部を設け、その凹部に冷凍サイクルの圧縮機などの高圧側の構成機器を収納するという冷蔵庫が提案されており、冷却器および除霜用ヒータの収納スペースは奥行き方向に薄く、かつ高さ方向を低く制限し、貯蔵室の収納量を大きく確保した冷蔵庫が提案されている（例えば、特許文献２参照）。
【０００６】
図８は、特許文献１に記載された従来の冷蔵庫の冷却器周辺の拡大断面図を示すものである。
【０００７】
図８に示すように、長尺の冷却管１２に所定ピッチでアルミニウムの薄肉小片からなるフィン１３を積重ねて嵌入し、その後冷却管を蛇行曲折して各貯蔵室内の背面幅に対応する所定幅とフィンの奥行き寸法と曲折による高さ寸法を有する直方体としたものである。
【０００８】
フィン１３は冷却管１２の直管部のみに配設しており、パイプ端部の曲成部には、冷却管の上下に亙る比較的厚肉の短冊状の剛体からなる端板１５を配置し、この端板１５に穿設した嵌入孔１５ａを曲成部に合致させるとともに、両側から冷却管１２とフィン１３部を挟持固定することで冷却器８を形成している。
【０００９】
端板１５は、フィン１３の最下縁からさらに下方に延設しており、延設部の両端板間には冷却器８の霜取りをおこなう輻射ヒータ１６を架設するように構成する。
【００１０】
輻射ヒータ１６と冷却器８のフィン最下端部との間には、ヒータカバー２３を配置する。ヒータカバー２３は、輻射ヒータ１６の上方部を保護するとともに、除霜時に冷却器８に付着した霜が融解し水滴となって落下する際、高温のガラス管１７の表面に触れて蒸発音を発生させないためのものであり、輻射ヒータ１６と同様に、端板１５に形成したスリット状の係止溝１５ｃに側方から嵌め込んで保持している。
【００１１】
なお、ヒータカバー２３は、前述した冷却器８の組立時に蛇行成形した冷却管１２およびフィン１３とともに端板１５間に挟み込んで固定すればよく、その断面形状は、フィン１３から落下してくる除霜水を受けて下方の排水樋２５へ流れ易くするように山形に形成するとともに、中央の頂部近傍の斜面部には、庫内幅方向に亙って開口する複数のスリット２３ａを穿設している。
【００１２】
ここで、除霜動作に入ると、発熱した輻射ヒータ１６により生じた暖気と輻射の効果により、まずヒータカバー２３を加熱し、さらにスリット２３ａを通って冷却器８を加熱する。
【００１３】
また、暖気により加熱されたヒータカバー２３からの熱伝導により、端板１５が加熱されることでも除霜が促進される。
【００１４】
図９は、特許文献２に記載された従来の冷蔵庫の縦断面図を示すものである。
【００１５】
図９に示すように、断熱箱体１は、上から順に、冷蔵室２、冷凍室３、野菜室４を有し、冷蔵室２の前面開口には、冷蔵室回転扉５を設けている。また、断熱箱体１の中央から下方部に位置する冷凍室３と野菜室４は収納性と使い勝手を考慮して、簡易に取り出しが行える引き出しタイプの冷凍室引き出し扉６と野菜室引き出し扉７を設けてある。冷蔵室２の庫内には複数の収納棚８が設けられており、冷凍室３と野菜室４には上面開口形状の収納容器９ａ，９ｂが取り付けてある。この収納容器９ａ，９ｂは前後方向のレール（図示せず）に、ローラで前後方向へ移動可能に支持されている。
【００１６】
断熱箱体１に設けた凹部１０は、外箱上面１１と外箱背面１２に渡る天面後背部を冷蔵室２の最上部の後背部が下がるように窪ませた箇所である。凹部１０はその左右が断熱箱体１の左右壁にて塞がれ上方および背方に開放しており、この凹部１０の開放部は、上板１３とこれにほぼ直角な背板１４とからなる凹部カバー１５にて覆われている。また、凹部カバー１５はネジなどにて断熱箱体１に取外し可能に固定されている。
【００１７】
冷凍サイクルの構成機器である圧縮機１６と凝縮器１７は機械室ファン１８と共に凹部１０内に収まるように配設され、上板１３と背板１４で構成された凹部カバー１５にて覆われている。
【００１８】
冷凍サイクルの構成機器である冷却器２０および除霜ヒータは冷凍室３の背面の限られたスペースに構成されている。
【特許文献１】特開２００４−１９０９５９号公報
【特許文献２】特開２００１−９９５５２号公報
【発明の開示】
【発明が解決しようとする課題】
【００１９】
しかしながら、上記従来の構成では、スリットを通過する暖気の影響により、主に輻射ヒータの表面温度の低減に有効であるが、除霜ヒータの有効活用による省エネ効果が充分でないという課題を有していた。
【００２０】
本発明は上記従来の課題を解決するもので、冷却管を積極的に過熱して冷却管の熱伝導および冷却管内の冷媒のサーモサイフォン効果の向上により、除霜時の消費電力を大幅に低減できる除霜ヒータ付き冷却器を提供することを目的とする。
【００２１】
また、上記従来の構成では、冷却器と除霜ヒータの距離を縮めるに至っておらず、限られた高さ空間内部に収納するには適していないという課題を有していた。
【００２２】
本発明は上記従来の課題を解決するもので、冷却器と除霜ヒータの総合高さを低く抑えることで、限られた空間への配置が可能となる。
【課題を解決するための手段】
【００２３】
上記従来の課題を解決するために、本発明の冷蔵庫は、複数のフィンと前記フィンを貫通する冷却管とからなる冷却器と、前記冷却器の下方に配設された前記冷却器を除霜する金属管を有する除霜ヒータを備え、前記冷却器は少なくとも最下段に位置する前記冷却管には前記フィンを有さない裸管部を有し、前記除霜ヒータの前記金属管は前記冷却管の前記裸管部に密着固定させたものである。
【００２４】
これによって、冷却管を積極的に過熱して冷却管の熱伝導が向上し、かつ冷却管内の冷媒のサーモサイフォン効果の向上が可能となるので、除霜時の消費電力を大幅に低減できる。
【００２５】
また、最下段に位置する冷却管に除霜ヒータを密着したことで、冷却器と除霜ヒータの高さ寸法を圧縮することになり、冷却器および除霜ヒータの省スペース化が実現できることで、庫内の貯蔵室の容量をより広くすることができ、収納性を向上させることができる。
【００２６】
また、除霜ヒータの金属管表面の熱は、冷却管へ熱伝導するため、除霜ヒータの金属管の表面温度を低下させることができる。
【発明の効果】
【００２７】
本発明の除霜ヒータ付き冷却器は、冷却管への熱伝導により除霜効率を向上させることができ、除霜時の消費電力を大幅に低減できる。
【００２８】
また、可燃性冷媒を使用した場合においては、除霜ヒータの金属管の熱は、金属管と密着固定させた冷却管へ熱伝導する為、ヒータ線の熱容量を低下させることなく、金属管の表面温度を可燃性冷媒の発火温度以下に抑えることができる。
【発明を実施するための最良の形態】
【００２９】
請求項１に記載の発明は、複数のフィンと前記フィンを貫通する冷却管とからなる冷却器と、前記冷却器の下方に配設された前記冷却器を除霜のため放熱する金属管を有する除霜ヒータを備え、前記冷却器は少なくとも最下段に位置する前記冷却管には前記フィンを有さない裸管部を有し、前記除霜ヒータの前記金属管は前記冷却管の前記裸管部に密着固定させたものであり、冷却管を積極的に過熱して冷却管自身を過熱させるとともに冷却管内の冷媒のサーモサイフォン効果が向上し、除霜効率を向上させることができるため、除霜時の消費電力を大幅に低減でき、消費電力を低減した冷蔵庫を提供することができる。
【００３０】
また、最下段に位置する前記冷却管に除霜ヒータを接触したことで、冷却器と除霜ヒータの高さ寸法を圧縮することになり、冷却器および除霜ヒータの省スペース化が実現できることで、庫内の貯蔵室の容量をより広くすることができ、収納性を向上させることができるので、使用者の使い勝手をより向上させることができる。
【００３１】
また、請求項２に記載の発明は、請求項１に記載の発明において、前記除霜ヒータは、抵抗体からなるヒータ線と前記ヒータ線を覆うガラス管と前記ガラス管を覆う金属管とで構成された多重管ヒータとしたものであり、外側の金属管の表面温度はヒータ線を１つの管で覆った除霜ヒータと比べて表面温度を低くできるうえに、外側の金属管表面の熱を冷却管を経由して熱交換器へ効率よく熱伝導できることから、さらに表面温度を低くできる。
【００３２】
また、外側が金属管で構成されていることから、霜や氷の成長によるガラス管割れが防止できることから安全確保ができる。
【００３３】
請求項３に記載の発明は、請求項１または２に記載の発明において、前記金属管には、前記裸管部と前記金属管とを固定するための固定部を有したものであり、別の固定部品が不要となることから、冷却器と除霜ヒータの密着固定が容易となり生産性が向上できる。
【００３４】
また、固定部によって金属管と冷却管との接触面積が増加することにより、金属管の熱をより冷却管へ伝熱させることができ、さらに除霜効率を向上させることができる。
【００３５】
請求項４に記載の発明は、請求項１または２に記載の発明において、前記金属管には、前記裸管部と前記金属管とを固定するための凹部を有したものであり、金属管の凹部に冷却管を収めることで、冷却器と除霜ヒータの総合高さを低く抑えることができ、小型化が図れ、限られた空間への配置が可能となる。
【００３６】
また、金属管内面と冷却管外面を密着固定させることで、接触面積が増加することにより、金属管の熱をより冷却管へ伝熱させることができ、さらに除霜効率を向上させることができる。
【００３７】
請求項５に記載の発明は、請求項１から４のいずれか一項に記載の発明において、前記金属管は、アルミニウムで成形したことにより、アルミニウムの高い熱伝導性を利用して金属管の熱を効率よく冷却管へ熱を伝えることができるので、より除霜効率を向上させることができる。
【００３８】
また、アルミニウムは成形性が良いことから、安価で自由な断面形状を成形することができるため、固定部や凹部は金属管と一体成形が可能となり、除霜ヒータの生産性を向上させることができる。
【００３９】
請求項６に記載の発明は、請求項１から５のいずれか一項に記載の発明において、前記冷却管内を流動する冷媒を可燃性冷媒としたものであり、金属管表面の熱が冷却管へ熱伝導することから、除霜ヒータの熱容量を低下させること無く、金属管の表面温度を可燃性冷媒の発火温度以下に抑えることができるため、万が一可燃性冷媒が冷蔵庫内に漏洩した状況で除霜ヒータが発熱しても、表面温度が冷媒の発火温度未満であるので漏洩した冷媒に引火することはなく安全である。
【００４０】
また、除霜効率が高く除霜時の消費電力を大幅に低減した冷蔵庫が提供できる。
【００４１】
（実施の形態１）
図１は、本発明の実施の形態１における冷蔵庫の側面図である。図２は、同実施の形態における冷蔵庫の要部構成図である。図３は、同実施の形態における冷蔵庫の冷却器の正面図である。図４は、同実施の形態における冷蔵庫の冷却器の側面図である。図５は、同実施の形態における冷蔵庫の除霜ヒータ周辺部の拡大図である。
【００４２】
図１、図２、図３、図４、図５において、断熱箱体である冷蔵庫本体１００の天井部後方には、圧縮機１１０が配設されており、冷蔵庫本体１００内部には複数の貯蔵室が区画形成されており、最下部には第一の貯蔵室である冷凍室１０１が、冷凍室１０１の上部には第二の貯蔵室である野菜室１０２が区画形成されている。
【００４３】
ここで、冷凍サイクルには、可燃性冷媒であるイソブタンが封入されている。
【００４４】
冷却室１０３は、冷凍室１０１と野菜室１０２の後方に２つの貯蔵室にまたがるように区画形成されている。
【００４５】
ここで、本実施の形態のように圧縮機１１０を天井部後方に配置し、冷凍室１０１および野菜室１０２の奥行き寸法の拡大を図った冷蔵庫においては、冷却器１２０は、奥行き方向の寸法規制もさることながら、高さ寸法に対しても可能な限りのサイズダウンが要求される。
【００４６】
冷却器１２０は、冷却室１０３内に配設されたオールアルミ熱交換器であり、主に、冷却管１２１と、アキュームレータ１２２と、フィン１２３とから構成されている。
【００４７】
冷却管１２１は、アルミ管を千鳥形状に蛇行させている。上部に位置する入口管１２１ａから流入した冷媒が熱交換した後、出口管１２１ｂから流出することになる。ここで、冷却器１２０の最下部に位置する裸管部１２１ｃは、冷却管１２１の全長に対して、略中間点を含む部分に位置しており、冷媒の流れにおいてほぼ中央に位置し、冷媒の流れは反転して上昇することになる。
【００４８】
アキュームレータ１２２は、冷却器１２０の冷媒の流れ方向において下流側に位置し、冷却器１２０の上部に配設されている。
【００４９】
フィン１２３は、冷却管１２１が貫通して上下方向に構成されたアルミプレートであり、冷却管１２１をメカニカル拡管または液圧拡管することで、冷却管１２１とフィン１２３とが密着固定している。
【００５０】
ここで、フィン１２３の下方端は、裸管部１２１ｃの上部に位置し、冷却管１２１の最下段にはフィンを有しない裸管部１２１ｃを有している。なお、フィンを有しない裸管部とは、フィン群の中にあるフィン相互間の裸管表面のことを指すのでなく、複数のフィンで形成される一定のフィン群が設けられていない連続した裸管表面という概念である。
【００５１】
除霜ヒータ１３０は、金属抵抗体をコイル状に形成したヒータ線１３３と、ヒータ線１３３を覆うガラス管１３４と、ガラス管１３４を覆うアルミニウムで成型された金属管１３５と開口部を覆うキャップ１３６とからなる２重管ヒータであり、金属管１３５に設けられた固定部１３５ａにより冷却器１２０の裸管部１２１ｃに密着固定されている。なお、固定部１３５ａは、裸管部１２１ｃ表面に沿った略半円形状を有したものである。
【００５２】
また、金属管１３５および固定部１３５ａの金属材料は熱伝導性、電食などの腐食の面から冷却管１２１と同じアルミニウム材料とし、種類としては、純アルミニウム系を用いるのが最適であるが、他のアルミニウム合金を用いてもよい。
【００５３】
なお、固定部１３５ａは金属管１３５の管成形時に一体成型したもの、すなわちアルミニウム押出管などにより金属管１３５と一体成型したものが生産性向上の面から望ましい。
【００５４】
なお、固定部１３５ａと裸管部１２１ｃとの密着固定する方法は、固定部１３５ａを裸管部１２１ｃへ挿入後、冷却管１２１をメカニカル拡管または液圧拡管を行い、裸管部１２１ｃの外径を固定部１３５ａの内径以上とすることで、冷却管１２１と固定部１３５ａおよびフィン１２３を同時に固定する方法が望ましい。なお、冷却器１２０の完成後、固定部１３５ａを裸管部１２１ｃへ挿入し、治工具などを用いて固定部１３５ａと裸管部１２１ｃとともにカシメて固定する方法もある。
【００５５】
また、裸管部１２１ｃへ固定部１３５ａを挿入後、アルミろう付けにて固定する方法もある。
【００５６】
したがって、除霜ヒータ１３０は固定部１３５ａ、裸管部１２１ｃを介して冷却器１２０に密着固定されており、従来の技術にくらべて、冷却器１２０と除霜ヒータ１３０の総合高さが低減されている。
【００５７】
サーミスタ１４０は、デフロストの制御を行うための温度検知手段であり、本実施の形態においては、アキュームレータ１２２に密着固定されている。
【００５８】
以上のように構成された冷蔵庫について、以下その動作、作用を説明する。
【００５９】
まず、冷却運転により、冷却器１２０全体が着霜して行く。ここで、除霜ヒータ１３０の金属管１３５は、固定部１３５ａにより裸管部１２１ｃに密着固定されているので、冷却管１２１やフィン１２３と同様に着霜することになる。
【００６０】
この時、金属管１３５が着霜することで、異常事態を想定すれば、裸管部１２１ｃから下方に成長した霜が金属管１３５に接触することが考えられるが、本実施の形態のようにアルミニウム材で成型された金属管１３５を用いることで、従来技術のように一重管ヒータを使用するのに比べて、ガラス管割れや電熱線の露出を抑制することができる。
【００６１】
また、冷却運転時に除霜ヒータ１３５の金属管１３５ａが同様に冷却されることで、金属管１３５は冷却器１２０の一部として伝熱外面積を増加させることになるため、冷却器１２０の冷却能力を増大させることができる。
【００６２】
ここで、本実施の形態においては、制御部（詳細の説明を省く）が圧縮機の積算運転時間によりデフロスト運転に突入すると、除霜ヒータ１３０に所定の電圧が印加される。
【００６３】
除霜ヒータ１３０に所定の電圧が印加されることで、ヒータの表面温度が上昇し、まず除霜ヒータ１３０の金属管１３５の表面に付着した霜が融解する。
【００６４】
さらに除霜ヒータ１３０からの熱は、金属管１３５に設けられた固定部１３５ａが裸管部１２１ｃと密着固定されていることで、効率良く熱伝達されるとともに、従来の技術に比べて冷却器１２０と除霜ヒータ１３０の相対的距離が小さくなっており輻射の効率も高められる。これにより裸管部１２１ｃが加熱されて裸管部１２１ｃの表面に付着した霜が融解する。
【００６５】
この時、融解した霜や水は裸管部１２１ｃの下方から落下することになるが、除霜ヒータ１３０の金属管１３５の熱は、裸管部１２１ｃへ伝熱しており、表面温度は低下していることから、霜や水が金属管１３５の表面に付着しても突沸現象などによる異音発生を防止することができる。
【００６６】
なお、金属管１３５の表面温度をさらに下げる方法としては、金属管１３５表面に放熱用のリブやフィンを設けることも効果的である。
【００６７】
また、金属管１３５の採用により従来技術のように一重管ヒータを使用するのに比べて、霜や水の付着による熱膨張率によるガラス管割れも防止することができる。
【００６８】
つぎに、裸管部１２１ｃを介して冷却管１２１の熱伝導により、冷却器１２０全体が下方より上方に向けて加熱されて効率良く除霜が行われる。
【００６９】
加えて、裸管部１２１ｃが加熱されることにより、内部の冷媒も加熱されることになり、加熱された冷媒の対流により、冷却器１２０の上部をすばやく加熱することができる。
【００７０】
つまり、裸管部１２１ｃの加熱を効率良く行うことで、冷却管１２１の熱伝導と管内対流の向上が図られ、除霜を効率良く行うことが可能となる。
【００７１】
以上のように本実施の形態の冷蔵庫搭載の冷却器は、冷蔵庫本体１００内に配設され、冷却管１２１とフィン１２２と裸管部１２１ｃにフィン１２２が形成されていない冷却器１２０と、冷却器１２０の下方に配設された、裸管部１２１ｃとの固定に用いられる固定部１３５ａを設けた金属管を有した除霜ヒータ１３０とからなり、冷却器１２０の裸管部１２１ｃには、固定部１３５ａを介して除霜ヒータ１３０が固定されているので、冷却管１２１の熱伝導と管内対流の向上が図られ、除霜を効率良く行うことが可能となる。
【００７２】
さらに、除霜ヒータ１３０が、金属管１３５を用いた二重管式のラジアントヒータであることにより、異常着霜時でも、二重の安全構造となっており、電熱線の露出防止およびガラス割れを抑制することができる。
【００７３】
さらに、圧縮機１１０が天井部後方に配置され、第一の貯蔵室である冷凍室１０１と第二の貯蔵室である野菜室１０２の後方に２つの貯蔵室にまたがるように区画形成された冷却室１０３内に、冷却器１２０と冷却器１２０と一体化された除霜ヒータ１３０を配設したことで、従来の技術に比べて冷却器１２０と除霜ヒータ１３０の総高さ寸法を低減したことにより、収納スペースの拡大が可能となる。
【００７４】
また、第一の貯蔵室である冷凍室１０１のほぼ底部から第二の貯蔵室である野菜室１０２のほぼ天部までの二つの貯蔵室にまたがった背面のほぼ全高を上下方向に冷却器１２０を収容する冷却室１０３として活用することができるので、この冷却室１０３の高さを生かして冷却器１２０の高さ寸法を大きくするとともに冷却器１２０の奥行き寸法を短縮させれば冷却能力を維持しながら冷却器１２０の薄型化が図れる。その結果、冷却室１０３の厚みを薄くすることができ、圧縮機１１０が冷凍室１０１および野菜室１０２の二つの貯蔵室の領域外にあるため二つの貯蔵室内を複雑な空間形状とならずに拡大して収納容積を増大し、収納性を高めて使い勝手を向上させることができる。
【００７５】
なお、本実施の形態では、冷凍室１０１および野菜室１０２二つの貯蔵室にまたがった背面のほぼ全高を上下方向に冷却器１２０を収容する冷却室１０３としたが、圧縮機が第一の貯蔵室である冷凍室１０１以外の領域にある冷蔵庫において、冷凍室１０１の背面のほぼ全高に冷却室１０３を備えることもでき、その場合では冷凍室１０１を複雑な空間形状とならずに拡大して収納容積を増大し、収納性を高めて使い勝手を向上させることができる。
【００７６】
（実施の形態２）
図６は、本発明の実施の形態２における冷却器の側面図である。図７は、同実施の形態における冷却器の除霜ヒータ周辺部の拡大図である。
【００７７】
図６、図７において、冷却器１２０は、冷却室１０３内に配設されたオールアルミ熱交換器であり、主に、冷却管１２１と、アキュームレータ１２２と、フィン１２３とから構成されている。
【００７８】
冷却管１２１は、アルミ管を千鳥形状に蛇行させている。上部に位置する入口管１２１ａから流入した冷媒が熱交換した後、出口管１２１ｂから流出することになる。ここで、冷却器１２０の最下部に位置する裸管部１２１ｃは、冷却管１２１の全長に対して、略中間点を含む部分に位置しており、冷媒の流れにおいてほぼ中央に位置し、冷媒の流れは反転して上昇することになる。
【００７９】
アキュームレータ１２２は、冷却器１２０の冷媒の流れ方向において下流側に位置し、冷却器１２０の上部に配設されている。
【００８０】
フィン１２３は、冷却管１２１が貫通して上下方向に構成されたアルミプレートであり、冷却管１２１を拡管することで、冷却管１２１とフィン１２３とを密着固定している。
【００８１】
ここで、フィン１２３の下方端は、裸管部１２１ｃの上部に位置し、冷却管１２１の最下段にはフィンを有しない裸管部１２１ｃを有している。なお、フィンを有しない裸管部とは、フィン群の中にあるフィン相互間の裸管表面のことを指すのでなく、複数のフィンで形成される一定のフィン群が設けられていない連続した裸管表面という概念である。
【００８２】
除霜ヒータ１３０は、金属抵抗体をコイル状に形成したヒータ線１３３と、ヒータ線１３３を覆うガラス管１３４と、ガラス管を覆うアルミニウムで成型された金属管１３５と開口部を覆うキャップ１３６とからなる２重管ヒータであり、金属管１３５に設けられた凹部１３５ｂにより冷却器１２０の裸管部１２１ｃに密着固定されている。なお、凹部１３５ｂは、裸管部１２１ｃ表面に沿った略半円形状の窪みのことである。
【００８３】
なお、凹部１３５ｂは金属管１３５の管成形時に一体成型したもの、すなわちアルミニウム押出管などにより金属管１３５と一体成型したものが生産性向上の面から望ましい。
【００８４】
また、凹部１３５ｂを有する金属管１３５の断面形状は、真円形だけでなく楕円形や異形など、設置スペースにより選択するのが望ましい。
【００８５】
また、金属管１３５の材料は熱伝導性、電食などの腐食の面から冷却管１２１と同じアルミニウム材料とし、種類としては、純アルミニウム系を用いるのが最適であるが、他のアルミニウム合金を用いてもよい。
【００８６】
なお、凹部１３５ｂと裸管部１２１ｃとの密着固定する方法は、凹部１３５ｂに裸管部１２１ｃを挿入後、冷却管１２１をメカニカル拡管または液圧拡管を行い、裸管部１２１ｃの外径を凹部１３５ｂの内径以上とすることで、冷却管１２１と凹部１３５ｂおよびフィン１２３を同時に固定する方法が望ましい。
【００８７】
また、凹部１３５ｂへ裸管部１２１ｃを挿入後、アルミろう付けして固定する方法もある。
【００８８】
したがって、除霜ヒータ１３０は凹部１３５ｂ、裸管部１２１ｃを介して冷却器１２０に密着固定されており、かつ、裸管部１２１ｃが除霜ヒータ１３０の金属管１３５内に収められていることから従来の技術にくらべて、冷却器１２０と除霜ヒータ１３０の総合高さが低減されている。
【００８９】
以上のように構成された冷蔵庫について、以下その動作、作用を説明する。
【００９０】
まず、冷却運転により、冷却器１２０全体が着霜して行く。ここで、除霜ヒータ１３０の金属管１３５は、凹部１３５ｂにより裸管部１２１ｃに密着固定されているので、冷却管１２１やフィン１２３と同様に着霜することになる。
【００９１】
この時、金属管１３５が着霜することで、異常事態を想定すれば、金属管１３５の霜とフィン１２３下方の霜が成長したばあい、硬い霜または氷となって金属管１３５を圧迫することが考えられるが、本実施の形態のようにアルミニウム材で成型された金属管１３５を用いることで、従来技術のように一重管ヒータを使用するのに比べて、ガラス管割れや電熱線の露出を抑制することができる。
【００９２】
また、冷却運転時に除霜ヒータ１３５の金属管１３５ａが同様に冷却されることで、金属管１３５は冷却器１２０の一部として伝熱外面積を増加させることになるため、冷却器１２０の冷却能力を増大させることができる。
【００９３】
ここで、本実施の形態においては、制御部（詳細の説明を省く）が圧縮機の積算運転時間によりデフロスト運転に突入すると、除霜ヒータ１３０に所定の電圧が印加される。
【００９４】
除霜ヒータ１３０に所定の電圧が印加されることで、ヒータの表面温度が上昇し、まず除霜ヒータ１３０の金属管１３５の表面に付着した霜が融解する。
【００９５】
さらに除霜ヒータ１３０からの熱は、金属管１３５の凹部１３５ｂに密着固定された裸管部１２１ｃに効率良く熱伝達されるとともに、従来の技術に比べて冷却器１２０と除霜ヒータ１３０の相対的距離が小さくなっており輻射の効率も高められることから冷却器１２０全体が下方より上方に向けて加熱されて効率よく除霜が行われる。
【００９６】
この時、融解した霜や水は冷却器１２０の下方から落下することになるが、除霜ヒータ１３０の金属管１３５の熱は、裸管部１２１ｃへ伝熱しており、表面温度は低下していることから、霜や水が金属管１３５の表面に付着しても突沸現象などによる異音発生を防止することができる。
【００９７】
なお、金属管１３５の表面温度をさらに下げる方法としては、金属管１３５表面に放熱用のリブやフィンを設けることも効果的である。
【００９８】
また、金属管１３５の採用により従来技術のように一重管ヒータを使用するのに比べて、霜や水の付着による熱膨張率によるガラス管割れも防止することができる。
【００９９】
また、裸管部１２１ｃが加熱されることにより、内部の冷媒も加熱されることになり、加熱された冷媒の対流により、冷却器１２０の上部をすばやく加熱することができる。
【０１００】
つまり、裸管部１２１ｃの加熱を効率良く行うことで、冷却管１２１の熱伝導と管内対流の向上が図られ、除霜を効率良く行うことが可能となる。
【０１０１】
以上のように本実施の形態の冷蔵庫の冷却器は、冷却管１２１とフィン１２２と裸管部１２１ｃにフィン１２２が形成されていない冷却器１２０と、冷却器１２０の下方に配設された、裸管部１２１ｃとの固定に用いられる凹部１３５ｂを設けた金属管を有した除霜ヒータ１３０とからなり、冷却器１２０の裸管部１２１ｃは、凹部１３５ｂを介して除霜ヒータ１３０が固定されているので、冷却管１２１の熱伝導と管内対流の向上が図られ、除霜を効率良く行うことが可能となる。
【０１０２】
さらに、除霜ヒータ１３０が、金属管１３５を用いた二重管式のラジアントヒータであることにより、異常着霜時でも、二重の安全構造となっており、電熱線の露出防止およびガラス割れを抑制することができる。
【０１０３】
さらに、冷却器１２０と冷却器１２０と一体化された除霜ヒータ１３０を配設したことで、従来の技術に比べて冷却器１２０と除霜ヒータ１３０の総高さ寸法を低減したことにより、収納スペースの拡大が可能となる。
【産業上の利用可能性】
【０１０４】
以上のように、本発明にかかる除霜ヒータ付き冷却器は、除霜効率を向上させて省エネを図ることができるので、冷蔵庫、自販機の用途にも適用できる。
【図面の簡単な説明】
【０１０５】
【図１】本発明の実施の形態１における冷蔵庫の側面図
【図２】同実施の形態における冷蔵庫の要部構成図
【図３】同実施の形態における冷蔵庫の冷却器の正面図
【図４】同実施の形態における冷蔵庫の冷却器の側面図
【図５】同実施の形態における冷蔵庫の除霜ヒータ周辺部の拡大図
【図６】本発明の実施の形態２における冷却器の側面図
【図７】同実施の形態における冷却器の除霜ヒータ周辺部の拡大図
【図８】従来の冷蔵庫の冷却器周辺の拡大断面図
【図９】従来の冷蔵庫の縦断面図
【符号の説明】
【０１０６】
１２０  冷却器
１２１  冷却管
１２１ｃ  裸管部
１２３  フィン
１３０  除霜ヒータ
１３３  ヒータ線
１３４  ガラス管
１３５  金属管
１３５ａ  固定部
１３５ｂ  凹部
【図１】
2008089231.tif 000003
【図２】
2008089231.tif 000004
【図３】
2008089231.tif 000005
【図４】
2008089231.tif 000006
【図５】
2008089231.tif 000007
【図６】
2008089231.tif 000008
【図７】
2008089231.tif 000009
【図８】
2008089231.tif 000010
【図９】
2008089231.tif 000011